(57)【要約】【課題】従来の顔判別技術では、エレベーターの利用が許可されない特定者を判別することができなかった。【解決手段】エレベーター制御装置６は、記憶部２０と、特定者判別部２１と、運行制御部１５と、を備える。記憶部２０は、昇降路を昇降する乗りかごに乗車する利用者のうち、特定者の特徴を分類するための特徴分類データを記憶する。特定者判別部２１は、撮影部により撮影された利用者の撮影画像データと、記憶部から読出した特徴分類データとを比較して、撮影画像データに含まれる利用者の特徴が、特徴分類データに示される特定者の特徴に合致するか否かを判別する。運行制御部１５は、特定者判別部の判別結果に基づいて、乗りかごの運行の許可又は不許可を判断し、乗りかごの運行を制御する。【選択図】図１
2018203432.tif 000002
【特許請求の範囲】
【請求項１】
昇降路を昇降する乗りかごに乗車する利用者のうち、特定者の特徴を分類するための特徴分類データを記憶する記憶部と、
撮影部により撮影された前記利用者の撮影画像データと、前記記憶部から読出した前記特徴分類データとを比較して、前記撮影画像データに含まれる前記利用者の特徴が、前記特徴分類データに示される前記特定者の特徴に合致するか否かを判別する特定者判別部と、
前記特定者判別部の判別結果に基づいて、前記乗りかごの運行の許可又は不許可を判断し、前記乗りかごの運行を制御する運行制御部と、を備える
エレベーター制御装置。
【請求項２】
さらに、前記乗りかごに乗車した前記利用者の利用者数に基づいて、複数の前記利用者が前記乗りかごに乗車したか否かを判定する利用者数判定部を備え、
前記運行制御部は、前記利用者数判定部により、前記乗りかごに複数の前記利用者が乗車したと判定された場合に、複数の前記利用者に前記特定者が含まれているか否かに応じて、前記乗りかごの運行の許可又は不許可を判断する
請求項１に記載のエレベーター制御装置。
【請求項３】
前記特徴分類データは、前記乗りかごへの乗車が許可されない前記特定者の特徴を示す第１特徴分類データであり、
前記運行制御部は、前記撮影画像データに含まれる少なくとも一人の前記利用者の特徴と、前記第１特徴分類データに示される前記特定者の特徴とが合致しない場合に前記乗りかごの運行を許可し、前記撮影画像データに含まれる前記利用者の特徴のいずれもが前記第１特徴分類データに示される前記特定者の特徴と合致する場合に前記乗りかごの運行を許可しない
請求項２に記載のエレベーター制御装置。
【請求項４】
前記特徴分類データは、前記乗りかごへの乗車が許可される前記特定者の特徴を示す第２特徴分類データであり、
前記運行制御部は、前記撮影画像データに含まれる少なくとも一人の前記利用者の特徴と、前記第２特徴分類データに示される前記特定者の特徴とが合致した場合に前記乗りかごの運行を許可し、前記撮影画像データに含まれる前記利用者の特徴のいずれもが前記第２特徴分類データに示される前記特定者の特徴と合致しない場合に前記乗りかごの運行を許可しない
請求項１に記載のエレベーター制御装置。
【請求項５】
前記運行制御部は、前記乗りかごの運行を不許可とした場合に、前記乗りかごが停車する階の乗場ドア、及び前記乗りかごのかごドアを開状態で維持する
請求項３又は４に記載のエレベーター制御装置。
【請求項６】
前記乗りかご内に音声を出力する音声出力部を備え、
前記運行制御部は、前記乗りかごの運行を不許可とした場合に、前記音声出力部により前記エレベーターの利用が不許可とされていることを示す報知を行う
請求項３又は４に記載のエレベーター制御装置。
【請求項７】
前記特定者の特徴は、前記特定者の着衣物、又は前記特定者に固有の動きである
請求項３又は４に記載のエレベーター制御装置。
【請求項８】
昇降路を昇降する乗りかごと、
前記乗りかごに乗車する利用者を撮影する撮影部と、
前記乗りかごに乗車する利用者のうち、特定者の特徴を分類するための特徴分類データを記憶する記憶部と、
前記撮影部により撮影された前記利用者の撮影画像データと、前記記憶部から読出した前記特徴分類データとを比較して、前記撮影画像データに含まれる前記利用者の特徴が、前記特徴分類データに示される前記特定者の特徴に合致するか否かを判別する特定者判別部と、
前記特定者判別部の判別結果に基づいて、前記乗りかごの運行の許可又は不許可を判断し、前記乗りかごの運行を制御する運行制御部と、を備える
エレベーター装置。
【請求項９】
撮影部により撮影された、昇降路を昇降する乗りかごに乗車する利用者の撮影画像データと、利用者のうち、特定者の特徴を分類するための特徴分類データを記憶する記憶部から読出した前記特徴分類データとを比較して、前記撮影画像データに含まれる前記利用者の特徴が、前記特徴分類データに示される前記特定者の特徴に合致するか否かを判別する手順と、
前記特定者の特徴の判別結果に基づいて、前記乗りかごの運行の許可又は不許可を判断し、前記乗りかごの運行を制御する手順と、をコンピューターに実行させるための
プログラム。
【発明の詳細な説明】
【技術分野】
【０００１】
本発明は、例えば、利用者に応じて乗りかごの運行を制御するエレベーター制御装置、エレベーター装置及びプログラムに関する。
【背景技術】
【０００２】
従来、高い安全性が求められる施設、例えば、子育て支援施設、介護施設、病院などでは、幼児や老人などの特定者が単独でエレベーターを利用することが禁止されている。ただし、これらの特定者は、保護者や看護師などの付添人がいる条件であれば、エレベーターの利用が許可される。
【０００３】
しかし、特定者だけでエレベーター装置を利用できないようにするため、乗り場側インジケーター（例えば、乗りかごの現在位置を知らせる表示器）に利用禁止札を貼ったり、乗り場に入場禁止柵を設けたりするなどの対策が講じられていた。しかし、これらの対策の効果は低く、依然として特定者が、乗場に設けられた呼び釦を押して、乗りかごを乗場に呼び、乗場に到着した乗りかごに誤って乗車することがあった。
【０００４】
特定者によるエレベーター装置の単独利用を回避する技術として、例えば、特許文献１に開示された技術が知られている。この特許文献１には、乗車する利用者の撮影顔画像と、現在時刻にエレベーターを利用することができる利用者の基準顔画像とを比較し、利用者の撮影顔画像が基準顔画像に一致しない場合、かごドアを戸開待機させることが開示されている。
【先行技術文献】
【特許文献】
【０００５】
【特許文献１】特開２０１６−２２２３８５号公報
【発明の概要】
【発明が解決しようとする課題】
【０００６】
しかしながら、特許文献１に開示された技術では、利用者が着帽している場合など、カメラに顔が映りにくい状況である場合、撮影顔画像と基準顔画像との比較判別が困難であった。このため、やはりエレベーターの単独利用が許可されない特定者であるにも関わらず、エレベーターの呼び釦が不用意に押されたことにより、乗車階に呼ばれた乗りかごに特定者が誤って乗車することがあった。
【０００７】
本発明はこのような状況に鑑みて成されたものであり、乗りかごに乗車することが制限される利用者だけのエレベーター利用を制限することを目的とする。
【課題を解決するための手段】
【０００８】
本発明に係るエレベーター制御装置は、乗りかごに乗車する利用者のうち、特定者の特徴を分類するための特徴分類データを記憶する記憶部と、撮影部により撮影された利用者の撮影画像データと、記憶部から読出した特徴分類データとを比較して、撮影画像データに含まれる利用者の特徴が、特徴分類データに示される特定者の特徴に合致するか否かを判別する特定者判別部と、特定者判別部の判別結果に基づいて、乗りかごの運行の許可又は不許可を判断し、乗りかごの運行を制御する。
【発明の効果】
【０００９】
本発明によれば、エレベーターの利用が制限されている利用者を判別し、この利用者だけが乗りかごに乗車した場合には乗りかごの運行が許可されないため、この利用者によるエレベーター利用が適切に制限される。
上記した以外の課題、構成及び効果は、以下の実施の形態の説明により明らかにされる。
【図面の簡単な説明】
【００１０】
【図１】本発明の第１の実施の形態に係るエレベーター装置の全体構成例を示す説明図である。
【図２】本発明の第１の実施の形態に係るエレベーター制御装置の内部構成例を示すブロック図である。
【図３】本発明の第１の実施の形態に係る計算機のハードウェア構成例を示すブロック図である。
【図４】本発明の第１の実施の形態に係る着衣物分類データの構成例を示す説明図である。
【図５】本発明の第１の実施の形態に係るエレベーター制御装置が、第１着衣物分類データに基づいてエレベーター運行の可否を判定するフローチャートである。
【図６】本発明の第２の実施の形態に係るエレベーター制御装置が、第２着衣物分類データに基づいてエレベーター運行の可否を判定するフローチャートである。
【発明を実施するための形態】
【００１１】
以下、本発明を実施するための形態例について、添付図面を参照して説明する。本明細書及び図面において、実質的に同一の機能又は構成を有する構成要素については、同一の符号を付することにより重複する説明を省略する。
【００１２】
［第１の実施の形態］
始めに、本発明の第１の実施の形態に係るエレベーター制御装置及びエレベーター装置について構成及び動作例を説明する。
図１は、エレベーター装置１の全体構成例を示す説明図である。
【００１３】
エレベーター装置１は、乗りかご２と、ロープ３と、巻上機４と、制御盤５と、エレベーター制御装置６と、カウンターウェイト７とを有している。
【００１４】
乗りかご２は、ロープ３を介してカウンターウェイト７に接続されている。不図示の電源から電源供給を受けた巻上機４のシーブが回転することにより、シーブに巻回されたロープ３が駆動する。そして、乗りかご２とカウンターウェイト７との相対位置が変化し、昇降路８を乗りかご２が昇降する。
【００１５】
乗りかご２には、かごドア１０と、カメラ１１と、スピーカー１２とが設けられている。
かごドア１０は、乗りかご２が乗場階に着床した時に乗場ドア１３と係合して開閉する。乗車階にてかごドア１０及び乗場ドア１３が開くと、利用者は乗りかご２に乗車する。そして、利用者が乗車した乗りかご２が移動して行先階に着床すると、かごドア１０及び乗場ドア１３が開き、利用者は乗りかご２から降車することができる。
【００１６】
カメラ１１は、乗りかご２に乗車する利用者を撮影し、画像データをエレベーター制御装置６に出力可能な撮影部の一例である。このカメラ１１は、後述する記憶部２０と接続されている。このため、カメラ１１が出力した画像データは記憶部２０に格納される。
【００１７】
なお、カメラ１１の設置位置は、乗りかご２内に乗り込んだ利用者を撮影可能な乗りかご２内の上部でもよいし、乗場１４で待機する利用者を撮影可能な乗場１４側の上部でもよい。しかしながら、乗りかご２内にカメラ１１を設けることで、１つのカメラ１１で複数階床の乗場１４から乗りかご２に乗り込む利用者を全て撮影することが可能となる。
【００１８】
スピーカー１２は、乗りかご２内に音声を出力可能な音声出力部の一例として用いられる。スピーカー１２は、後述する運行制御部１５の指令に応じて所定のアナウンスを放送する。このため、乗りかご２に乗車している利用者は、アナウンスに従って乗りかご２から降車するようになる。なお、スピーカー１２は、乗りかご２外に音声を出力可能としてもよい。この場合、乗りかご２に乗車していない、廊下等にいる看護師等であっても、放送されたアナウンスを聴いて、単独での運行が許可されない利用者が乗りかご２に乗車していることに気付くことができる。このため、看護師等は、乗りかご２に乗車している利用者を安全に乗りかご２から降車させることができる。
【００１９】
制御盤５は、巻上機４の駆動、かごドア１０及び乗場ドア１３の開閉、スピーカー１２によるアナウンスの指令などを行う運行制御部１５を有しており、エレベーター装置１の動作を統括制御することが可能である。この運行制御部１５は、特定者判別部２１の判別結果に基づいて、乗りかご２の運行の許可又は不許可を判断し、乗りかご２の運行を制御する。
【００２０】
エレベーター制御装置６は、記憶部２０と、特定者判別部２１と、利用者数判定部２２とを備える。エレベーター制御装置６は、エレベーター装置１の外部に設けられるが、制御盤５内に一体に設けられてもよい。また、エレベーター装置１の更新作業等により、エレベーター制御装置６だけを交換したり、エレベーター制御装置６内の各部の処理を実行可能なプログラムを既存のエレベーター制御装置６にインストールしたりすることも可能である。
【００２１】
図２は、エレベーター制御装置６の内部構成例を示すブロック図である。
記憶部２０は、カメラ１１により撮影された今回利用者の着衣物画像データ（撮影画像データの一例）を格納する。今回利用者とは、かご呼び操作を行って乗りかご２に乗車する利用者のことである。また、記憶部２０は、過去に乗りかご２に乗車した利用者の着衣物画像データについても格納している。そして、記憶部２０は、乗りかご２に乗車する利用者のうち、特定者の特徴を分類するための特徴分類データを記憶する。本実施の形態では、特定者の特徴とは、特定者の着衣物を表す。このため、特徴分類データは、乗りかご２への乗車が許可されない特定者の特徴を示す第１着衣物分類データ、乗りかご２への乗車が許可される特定者の特徴を示す第２着衣物分類データである。第１着衣物分類データ及び第２着衣物分類データは、特定者判別部２１が判別しやすいような着衣物を表す画像データである。第１の実施の形態では、第１着衣物分類データを用いた処理が行われ、後述する第２の実施の形態では、第２着衣物分類データを用いた処理が行われる。
【００２２】
なお、エレベーター制御装置６の処理に応じて、記憶部２０には、第１着衣物分類データ又は第２着衣物分類データのいずれかだけが格納されてもよい。第１着衣物分類データ及び第２着衣物分類データの詳細な内容については後述する図４に示される。
【００２３】
特定者判別部２１は、カメラ１１により撮影された利用者の撮影画像データと、記憶部２０から読出した特徴分類データとを比較して、撮影画像データに含まれる利用者の特徴が、特徴分類データに示される特定者の特徴に合致するか否かを判別する。第１の実施の形態において、特定者判別部２１は、カメラ１１により撮影された今回利用者の着衣物画像データと、第１着衣物分類データとを比較して合致するか否かを判別する。また、特定者判別部２１は、利用者が規定する衣服や靴の色の全身に対する割合、利用者の立ち位置による着衣物の色の見え方の違い、上半身及び下半身の着衣物の色の違いなども判別する機能を備える。このため、乗り場又は乗りかご２内の照明が暗かったり、乗場から日射しが差し込んだりしても、着衣物画像データと、第１着衣物分類データとを精度良く比較することができる。
【００２４】
利用者数判定部２２は、カメラ１１により撮影された画像データに基づき乗りかご２に乗車した利用者の利用者数を取得する。そして、利用者数判定部２２は、取得した利用者数に基づいて、複数の利用者が乗りかご２に乗車したか否かを判定する。なお、利用者数判定部２２は、かごドア１０に設けられた光電センサ等の計測結果に基づいて乗りかご２内に利用者がいることを判別し、乗りかご２に設けられた重量計の計測値を利用者の平均体重で割ることで乗りかご２内の利用者を判定してもよい。
【００２５】
運行制御部１５は、利用者数判定部２２により、乗りかご２に複数の利用者が乗車したと判定された場合に、複数の利用者に特定者が含まれているか否かに応じて、乗りかご２の運行の許可又は不許可を判断する。そして、運行制御部１５は、乗りかご２の運行を不許可とした場合に、乗りかご２が停車する階の乗場ドア１３、及び乗りかご２のかごドア１０を開状態で維持し、乗りかご２を停車し続ける。また、運行制御部１５は、乗りかご２の運行を不許可とした場合に、音声出力部によりエレベーターの利用が不許可とされていることを示す報知を行う。この報知は、音声によるアナウンスであるが、エレベーター装置１の監視センターや医局等への警報であってもよい。
【００２６】
次に、制御盤５及びエレベーター制御装置６を構成する計算機Ｃのハードウェア構成を説明する。
図３は、計算機Ｃのハードウェア構成例を示すブロック図である。
【００２７】
計算機Ｃは、いわゆるコンピュータとして用いられるハードウェアである。計算機Ｃは、バスＣ４にそれぞれ接続されたＣＰＵ（Central Processing Unit：中央処理装置）Ｃ１、ＲＯＭ（Read Only Memory）Ｃ２、ＲＡＭ（Random Access Memory）Ｃ３を備える。さらに、計算機Ｃは、不揮発性ストレージＣ５、ネットワークインターフェイスＣ６を備える。
【００２８】
ＣＰＵ Ｃ１は、本実施の形態例に係る各機能を実現するソフトウェアのプログラムコードをＲＯＭ Ｃ２から読み出して実行する。ＲＡＭ Ｃ３には、演算処理の途中に発生した変数やパラメーター等が一時的に書き込まれる。ＣＰＵ Ｃ１により、エレベーター制御装置６内の特定者判別部２１及び利用者数判定部２２の処理、制御盤５内の運行制御部１５の処理が実行される。
【００２９】
不揮発性ストレージＣ５としては、例えば、ＨＤＤ（Hard Disk Drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリ等が用いられる。この不揮発性ストレージＣ５には、ＯＳ（Operating System）、各種のパラメーターの他に、計算機Ｃを機能させるためのプログラムが記録されている。ＲＯＭ Ｃ２、不揮発性ストレージＣ５は、ＣＰＵ Ｃ１が動作するために必要なプログラムやデータ等を記録しており、計算機Ｃによって実行されるプログラムを格納したコンピュータ読取可能な非一過性の記録媒体の一例として用いられる。このため、ＲＯＭ Ｃ２、不揮発性ストレージＣ５には、このプログラムが永続的に格納される。また、不揮発性ストレージＣ５には、エレベーター制御装置６の記憶部２０が構成されており、図４に示す第１着衣物分類データ及び第２着衣物分類データが記憶されている。
【００３０】
ネットワークインターフェイスＣ６には、例えば、ＮＩＣ（Network Interface Card）等が用いられ、端子が接続されたＬＡＮ（Local Area Network）、専用線等を介して各種のデータを装置間で送受信することが可能である。例えば、エレベーター制御装置６と、制御盤５とは、ネットワークインターフェイスＣ６を通じてデータの送受信を行っている。
【００３１】
ここで、着衣物分類データについて図４を用いて説明する。
図４は、着衣物分類データの構成例を示す説明図である。
【００３２】
図４には、乗りかご２の乗車が制限される特定者をグループＡとし、乗りかご２の乗車が許可される特定者をグループＢとしたグループ毎に特定者及び着衣物の例が一覧表示されている。グループＡに属する特定者としては、例えば、子育て施設における幼児、介護施設における老人、病院における入院患者がいる。そして、これらの特定者を判別する際に用いる着衣物として、幼児では、例えば、制服、園帽子、上履きがある。また、老人及び入院患者では、例えば、パジャマ、スリッパ、サンダル、車椅子がある。車椅子はいわゆる着衣物ではないが、利用者が特定者であるか否かを判別する際に有効なデータとなるので、着衣物として含めている。グループＡに含まれる着衣物のデータは、第１着衣物分類データとして扱われる。
【００３３】
一方、グループＢに属する特定者としては、例えば、医師、看護師、介護士、スタッフ、従業員、家族、見舞い人がいる。そして、これらの特定者を判別する際に用いる着衣物として、医師及び看護師では、例えば、白衣、ＩＤカード、サンダルがある。また、介護士では、例えば、エプロン、作業着、ＩＤカード、上履きがある。また、スタッフ及び従業員では、例えば、作業着、ＩＤカード、上履きがある。また、家族及び見舞い人では、例えば、訪問カード、スリッパがある。また、エレベーターの利用が許可される特定者を含むグループＢには、グループＡ以外の利用者が身に着ける着衣物の画像データが着衣物分類データとして含まれている。そして、グループＢに含まれる着衣物のデータは、第２着衣物分類データとして扱われる。
【００３４】
本実施の形態において、特定者判別部２１は、グループＡ又はグループＢのいずれかに含まれる着衣物分類データを用いて、利用者が特定者に該当するか否かを判別する。このため、判別に使用しないグループの着衣物分類データは記憶部２０に存在しなくてよい。例えば、グループＡの第１着衣物分類データだけが記憶部２０に記憶されていれば、特定者判別部２１は、第１着衣物分類データに該当しない着衣物の利用者は、グループＡ以外の利用者と判別することができる。グループＢの第２着衣物分類データだけが記憶部２０に記憶されていれば、特定者判別部２１は、第２着衣物分類データに該当しない着衣物の利用者は、グループＢ以外の利用者と判別することができる。
【００３５】
次に、エレベーター制御装置６において利用者が特定者であるか否かを判別し、エレベーター運行の可否を判定する手順について、図５及び図６を順に参照して説明する。
図５は、エレベーター制御装置６が、第１着衣物分類データに基づいてエレベーター運行の可否を判定するフローチャートである。
【００３６】
まず、利用者数判定部２２は、カメラ１１が撮像し、エレベーター制御装置６に送信する画像データに基づいて、乗りかご２内の利用者の有無を判定する（Ｓ１）。カメラ１１の画像データは、カメラ１１から利用者数判定部２２に直接送られるものでもよいし、一旦、記憶部２０に格納された画像データを利用者数判定部２２が読出したものでもよい。乗りかご２内に利用者がいないと判定した場合（Ｓ１：ＮＯ）、利用者数判定部２２は、引き続き乗りかご２内の利用者の有無を判定する。
【００３７】
乗りかご２内に利用者がいると判定した場合（Ｓ１：ＹＥＳ）、利用者数判定部２２は、乗りかご２内に複数の利用者がいるか否かを判定する（Ｓ２）。乗りかご２内に複数の利用者がいない場合、つまり単独の利用者しかいない場合には（Ｓ２：ＮＯ）、カメラ１１が利用者を撮影した画像データを、今回利用者の着衣物画像データとして記憶部２０に格納する（Ｓ３）。次に、特定者判別部２１は、記憶部２０に格納された今回利用者の着衣物画像データと、同じく記憶部２０に格納された乗車が制限されている特定者の着衣物に係る第１着衣物分類データとを比較する（Ｓ４）。
【００３８】
続いて、特定者判別部２１は、単独の今回利用者の着衣物画像データと、予め格納された第１着衣物分類データとが合致するかを判別する（Ｓ５）。特定者判別部２１により合致すると判別した場合（Ｓ５：ＹＥＳ）、運行制御部１５は乗りかご２の運行を許可しない（Ｓ６）。このように運行制御部１５は、撮影画像データに含まれる利用者の特徴のいずれもが第１特徴分類データに示される特定者の特徴と合致する場合に乗りかご２の運行を許可しない。そして、運行制御部１５は、かごドア１０及び乗場ドア１３を開状態で維持する。このため、乗りかご２に乗り込んだ利用者は乗車階とは別の階に移動できなくなる。
【００３９】
また、この利用者に対して乗りかご２の運行が許可されていないので、運行制御部１５はスピーカー１２にアナウンス指令を出力する。スピーカー１２から、例えば、「エレベーターのご利用はできません。かごから降りてください。エレベーターをご利用可能なお客様と一緒にご乗車ください。」といったアナウンスが流れる。乗りかご２内の利用者は、アナウンスに従って一旦乗りかご２から降車するようになる。さらに、運行制御部１５は、乗りかご２から利用者の降車が完了するまで、他階床にて乗りかご２に呼びが登録されても、乗りかご２を呼びに応じさせない制御を行う。このため、乗りかご２は、かごドア１０及び乗場ドア１３を開状態で維持し、乗りかご２が停止した状態を継続する。乗りかご２から全ての利用者が降り、又は一定時間が経過した後、再び図５に示す処理が再開される。
【００４０】
一方、特定者判別部２１により今回利用者の着衣物画像データと予め格納された第１着衣物分類データとが合致しないと判別された場合（Ｓ５：ＮＯ）、単独で乗り込んだ利用者は乗車が制限されている特定者ではない。このとき、運行制御部１５は、この利用者に対する乗りかご２の運行を許可する（Ｓ７）。このように運行制御部１５は、撮影画像データに含まれる少なくとも一人の利用者の特徴と、第１特徴分類データに示される特定者の特徴とが合致しない場合に乗りかご２の運行を許可する。そして、運行制御部１５は、かごドア１０及び乗場ドア１３を閉じ、登録されたかご呼びに応じたサービスを利用者に提供する。このサービスにより、乗りかご２に乗車した利用者は、目的とする行先階に移動することができる。
【００４１】
ステップＳ２にて、利用者数判定部２２が、乗りかご２内に複数の利用者がいることを判定した場合（Ｓ２：ＹＥＳ）、カメラ１１が複数の利用者を撮影した画像データを、複数の今回利用者の着衣物画像データとして記憶部２０に格納する（Ｓ８）。次に、特定者判別部２１は、記憶部２０に格納された複数の今回利用者の着衣物画像データと、同じく記憶部２０に格納された第１着衣物分類データとを比較する（Ｓ９）。
【００４２】
続いて、特定者判別部２１は、複数の今回利用者の着衣物画像データの全てが予め格納された第１着衣物分類データのいずれかと合致するかを判別する（Ｓ１０）。特定者判別部２１により合致すると判別された場合（Ｓ１０：ＹＥＳ）、運行制御部１５は、乗りかご２の運行を許可しない（Ｓ６）。このように運行制御部１５は、撮影画像データに含まれる利用者の特徴のいずれもが第１特徴分類データに示される特定者の特徴と合致する場合に乗りかご２の運行を許可しない。そして、運行制御部１５は、かごドア１０及び乗場ドア１３を開状態で維持する。これは、例えば、乗りかご２内に乗り込んだ複数の利用者全てが幼児であるような状況に相当する。
【００４３】
一方、特定者判別部２１により特定者判別部２１により、複数の今回利用者の着衣物画像データの中で第１着衣物分類データと合致しないものがあると判別された場合（Ｓ１０：ＮＯ）、運行制御部１５は乗りかご２の運行を許可する（Ｓ１１）。このことから、乗りかご２内に乗り込んだ複数の利用者のうち少なくとも一人は乗車が許可された利用者であることが示される。例えば、乗りかご２内に乗り込んだ複数の利用者が、入院患者と医師であるような状況に相当する。このように運行制御部１５は、撮影画像データに含まれる少なくとも一人の利用者の特徴と、第１特徴分類データに示される特定者の特徴とが合致しない場合に乗りかご２の運行を許可する。そして、運行制御部１５は、かごドア１０及び乗場ドア１３を閉じ、登録されたかご呼びに応じたサービスを利用者に提供する。
【００４４】
以上説明した第１の実施の形態に係るエレベーター装置１では、記憶部２０に、乗車が制限される特定者の着衣物に係る第１着衣物分類データを予め格納している。そして、特定者判別部２１は、カメラ１１により撮影された今回利用者の着衣物画像データと、第１着衣物分類データとを比較して合致するか否かを判別し、運行制御部１５は、判別結果に基づいて乗りかご２の運行を制御する。そして、運行制御部１５は、今回利用者の着衣物画像データと第１着衣物分類データの合否に基づき、乗りかご２の運行を不許可又は許可とする。このように特定者判別部２１は、従来のような顔画像に基づく比較判別ではなく、利用者の着衣物によって比較判別するため、乗りかご２に乗車した利用者がエレベーターの利用を許可してよい利用者であるか否かをより正確に判別することが可能である。そして、エレベーターの利用が許可されない利用者であれば、運行制御部１５が乗りかご２の運行を許可せず、かごドア１０及び乗場ドア１３を開状態で維持し、乗りかご２を停止したままとする。このため、利用者が誤って乗りかご２に乗車しても、乗りかご２から利用者を安全に降車させることができる。
【００４５】
また、乗りかご２内に複数の利用者がいるか否かを判定する利用者数判定部２２を設けている。そして、利用者数判定部２２が乗りかご２内に複数の利用者がいることを判定した場合に、特定者判別部２１は、カメラ１１により撮影された全ての今回利用者の画像データと第１着衣物分類データとを比較して合致するか否かを判別し、運行制御部１５は、全ての今回利用者の着衣物画像データと第１着衣物分類データが合致したとき、乗りかご２の運行を許可しない。
【００４６】
言い換えれば、乗りかご２内に乗り込んだ複数の利用者のうち少なくとも一人の今回利用者の着衣物画像データと第１着衣物分類データが合致しないとき、乗りかご２の運行を許可とする。これにより、複数の利用者が乗車した状態で、乗車が制限される特定者のみがいるのか、又は少なくとも一人はエレベーター利用が許可された利用者かを判別することができ、エレベーターの安全性を確保しつつ、サービス性の低下を防ぐことができる。
【００４７】
［第２の実施の形態］
次に、本発明の第２の実施の形態に係るエレベーター装置の動作例について説明する。このエレベーター装置では、第２着衣物分類データにより、エレベーター運行の可否が判定される。
図６は、第２の実施の形態における制御装置の処理手順を示し、第２着衣物分類データに基づきエレベーター運行の可否を判定するフローチャートである。
【００４８】
まず、利用者数判定部２２は、カメラ１１が撮像し、エレベーター制御装置６に送信する画像データに基づいて、乗りかご２内の利用者の有無を判定する（Ｓ２１）。本実施の形態では、利用者数判定部２２は、乗りかご２内の利用者数を取得しない。乗りかご２内に利用者がいないと判定した場合（Ｓ２１：ＮＯ）、利用者数判定部２２は、引き続き乗りかご２内の利用者の有無を判定する。
【００４９】
乗りかご２内に利用者がいると判定した場合（Ｓ２１：ＹＥＳ）、カメラ１１にて利用者を撮影し、今回利用者の着衣物画像データとして記憶部２０に格納する（Ｓ２２）。第２の実施の形態では、利用者数判定部２２による複数の利用者が乗りかご２内にいるか否かは判定していない。
【００５０】
次に、特定者判別部２１は、記憶部２０に格納された今回利用者の着衣物画像データと、同じく記憶部２０に格納された乗車が制限されていない特定者の着衣物に係る第２着衣物分類データとを比較する（Ｓ２３）。
【００５１】
続いて、特定者判別部２１は、今回利用者の着衣物画像データと予め格納された第２着衣物分類データとが合致するかを判別する（Ｓ２４）。特定者判別部２１により、少なくとも一人の利用者の着衣物画像データと第２着衣物分類データとが合致する判別された場合（Ｓ２４：ＹＥＳ）、運行制御部１５は乗りかご２の運行を許可する（Ｓ２５）。このように運行制御部１５は、撮影画像データに含まれる少なくとも一人の利用者の特徴と、第２特徴分類データに示される特定者の特徴とが合致した場合に乗りかご２の運行を許可する。そして、運行制御部１５は、かごドア１０及び乗場ドア１３を閉じ、登録されたかご呼びに応じたサービスを利用者に提供する。
【００５２】
このように利用者に対してサービスを提供するのは、乗りかご２内に乗り込んだ複数の利用者のうち少なくとも一人は乗車が許可された利用者であるからである。一方、単独であろうと、複数であろうと今回利用者の着衣物画像データが第２着衣物分類データと合致しないことを判別した場合（Ｓ２４：ＮＯ）、運行制御部１５は乗りかご２の運行を許可しない（Ｓ２６）。このように運行制御部１５は、撮影画像データに含まれる利用者の特徴のいずれもが第２特徴分類データに示される特定者の特徴と合致しない場合に乗りかご２の運行を許可しない。そして、運行制御部１５は、かごドア１０及び乗場ドア１３を開状態で維持する。つまり、乗りかご２内に乗り込んだ利用者が、単独であろうと複数であろうと乗車が制限されている利用者であることが想定される状況であることから、利用者の安全を確保するため乗りかご２の運行が許可されない。このため、このため、乗りかご２に乗り込んだ利用者は乗車階とは別の階に移動できなくなる。
【００５３】
以上説明した第２の実施の形態に係るエレベーター装置１では、乗車が許可される特定者の着衣物に係る第２着衣物分類データを予め記憶部２０に格納している。そして、特定者判別部２１が、カメラ１１により撮影された今回利用者の着衣物画像データと、第２着衣物分類データとを比較して合致するか否かを判別し、運行制御部１５は、判別結果に基づいて乗りかご２の運行を制御する。そして、運行制御部１５は、今回利用者の着衣物画像データと第２着衣物分類データの合否に基づき、乗りかご２の運行を不許可又は許可とする。これにより、従来のような顔画像に基づく比較判別ではなく、利用者の着衣物によって比較判別することができる。そして、エレベーター利用を許可してよいか否かをより正確に判別し、安全性の向上を図ることができる。
【００５４】
また、利用者数判定部２２による乗りかご２内の利用者が複数であるか否かを判定することなく、運行制御部１５は、少なくとも一人の今回利用者の着衣物画像データと第２着衣物分類データが合致したとき、乗りかご２の運行を許可する。このため、上述した第１の実施の形態に係る、第１着衣物分類データに基づいて運行の可否を判定する処理と比べて少ない処理手順で運行の可否を判定することができる。このように乗りかご２内の複数の利用者の有無の判定処理を省いて、処理の簡易化を図ることができる。
【００５５】
なお、第１の実施の形態と同様に、第２の実施の形態においても利用者数判定部２２による乗りかご２に複数の利用者がいるか否かを判定する処理と、乗りかご２の利用者数を判定する処理をとを行ってもよい。そして、特定者判別部２１は、利用者数判定部２２が判定した乗りかご２の利用者数に基づいて、複数の利用者が乗りかご２に乗車した場合に、少なくとも一人の利用者の特徴が第２着衣物分類データに示す特徴に合致するか判断してもよい。そして、この判断結果に基づいて、運行制御部１５は、乗りかご２の運行の許可又は不許可を判断し、乗りかご２の運行を制御してもよい。
【００５６】
［変形例］
上述した第１の実施の形態では第１着衣物分類データを用いて特定者を判別し、第２の実施の形態では第２着衣物分類データを用いて特定者を判別した。しかし、第１着衣物分類データ及び第２着衣物分類データを組み合わせて、乗りかご２に乗車した利用者から特定者を判別してもよい。これにより、例えば、一人の利用者の特徴が第１着衣物分類データに示される特徴と合致しなくても、第２着衣物分類データに示される特徴と合致することにより、この利用者が医師等であることが判別される。
【００５７】
また、特定者判別部２１は、着衣物の一つだけを判別対象とすると利用者を誤認識する可能性がある。例えば、幼児が履く上履きと、スタッフが履く上履きの色や形が似ている場合、上履きだけを特徴物として認識すると、スタッフが乗りかご２に乗車したにも関わらず、幼児が乗りかご２に乗車したと誤認識することがある。このため、特定者判別部２１は、第１着衣物分類データに含まれる着衣物のうち、上履きを判別した後、さらに園帽子又は制服が合致するか判別する。そして、園帽子又は制服が合致した場合、乗りかご２に乗車した利用者が幼児であると判別してもよい。このように複数の特徴を組み合わせることで特定者の判別精度を高めることができる。
【００５８】
また、上述した各実施の形態では、特定者の特徴が、特定者の着衣物であるとしたが、特定者の固有の動き（歩き方、クセ等）を特定者の特徴としてもよい。
【００５９】
本実施の形態に係るプログラムを既存のエレベーター制御装置６及び制御盤５にインストールすることで、本実施の形態に係る特定者判別部２１、利用者数判定部２２及び運行制御部１５の機能を実現することが可能である。このため、エレベーター制御装置６及び制御盤５の機能追加を容易に行うことができる。また、既存のエレベーター装置に設けられている古いエレベーター制御装置及び制御盤を、本実施の形態に係るエレベーター制御装置６及び制御盤５に交換するメンテナンスサービスも容易に行うことができる。
【００６０】
なお、本発明は上述した実施の形態に限られるものではなく、特許請求の範囲に記載した本発明の要旨を逸脱しない限りその他種々の応用例、変形例を取り得ることは勿論である。
例えば、上述した実施の形態は本発明を分かりやすく説明するために装置の構成を詳細かつ具体的に説明したものであり、必ずしも説明した全ての構成を備えるものに限定されない。また、ここで説明した実施の形態の構成の一部を他の実施の形態の構成に置き換えることは可能であり、さらにはある実施の形態の構成に他の実施の形態の構成を加えることも可能である。また、各実施の形態の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６１】
１…エレベーター装置、２…乗りかご、５…制御盤、６…エレベーター制御装置、１０…かごドア、１１…カメラ、１２…スピーカー、１３…乗場ドア、１５…運行制御部、２０…記憶部、２１…特定者判別部、２２…利用者数判定部
【図１】
2018203432.tif 000003
【図２】
2018203432.tif 000004
【図３】
2018203432.tif 000005
【図４】
2018203432.tif 000006
【図５】
2018203432.tif 000007
【図６】
2018203432.tif 000008